【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
使用者が横たわる寝具類を載置できるベッド本体と、前記ベッド本体の幅方向の少なくとも一方側に設けられたサイド側部材とをもつベッドにおいて、前記ベッド本体上の使用者の身体に間接的に有用振動を与える第１振動部が前記サイド側部材に設けられており、前記サイド側部材は、前記サイド側部材に沿って前記ベッド本体の長さ方向（Ｘ方向）に延びるＸガイド部と、前記ベッド本体の高さ方向（Ｙ方向）に延びるＹガイド部と、前記ベッド本体の幅方向（Ｚ方向）に延びるＺガイド部と、前記Ｘガイド部、前記Ｙガイド部および前記Ｚガイド部によって位置調整可能なスライダとを備えており、前記第１振動部は前記スライダに設けられ、前記ベッド本体の長さ方向（Ｘ方向）、高さ方向（Ｙ方向）、幅方向（Ｚ方向）に３次元的に位置調整可能とされていることを特徴とするベッド。
【請求項２】
請求項１において、前記第１振動部は、前記ベッド本体に載置されている寝具類に接触可能であり、前記寝具類を介して有用振動を伝播させることを特徴とするベッド。
【請求項３】
請求項１または請求項２において、前記寝具類はマットレスであり、前記第１振動部を前記ベッド本体の前記幅方向に位置調整することにより、前記第１振動部と前記マットレスとの圧接度を調整して前記第１振動部から前記マットレスへの振動伝搬率を調整できるように設定されていることを特徴とするベッド。
【請求項４】
請求項３において、前記第１振動部と前記マットレスとの圧接度を相対的に高める強モードと、前記第１振動部と前記マットレスとの圧接度を前記強モードのときよりも相対的に低める弱モードとが設けられており、前記第１振動部を前記ベッド本体の幅方向において位置調整することにより前記強モード及び前記弱モードを切替可能とするように設定されていることを特徴とするベッド。
【請求項５】
請求項１〜請求項４のうちのいずれか一項において、前記ベッド本体は使用者の足側に位置するフット側部材を有しており、前記ベッド本体上の使用者の身体に直接的にまたは間接的に有用振動を与える第２振動部が前記フット側部材に設けられており、前記第２振動部は、前記フット部材に沿って前記ベッド本体の前記幅方向に位置調整可能とされていることを特徴とするベッド。
【請求項６】
請求項１〜請求項５のうちのいずれか一項において、前記第１振動部と前記寝具類との間に隙間が生成される場合には、前記第１振動部を前記寝具類に対して３次元的に位置調整することにより、前記隙間を低減または解消するようにしたことを特徴とするベッド。
【手続補正２】
【補正対象書類名】明細書
【補正対象項目名】全文
【補正方法】変更
【補正の内容】
【発明の詳細な説明】
【発明の名称】ベッド
【技術分野】
【０００１】
本発明は使用者の身体にリラクゼーション効果等を与えるベッドに関する。
【背景技術】
【０００２】
使用者は、急激な社会環境の変化により、通常の社会生活においても知らず知らずのうちに多大なストレスが加わっている。近年、クオリティー・オブ・ライフ（生活の質）の向上についての関心が高まり、これらストレスを解消する手法についても種々提案されている。その中でも、ストレス解消効果の観点からは質の高い睡眠を確保することが重要であることが知られているが、質の高い睡眠を確保することは困難になっている。ここで、質の高い睡眠を実現するために音楽や振動を利用することが効果的であることが知られており、従来、使用者の頭部の左右に配置したスピーカと、使用者の足部の左右に配置した振動装置とを有する寝具類が提案されている（特許文献１）。心地よい音楽や振動を入眠時乃至は睡眠中に身体に加えることで高いリラクゼーション効果が発揮でき質の高い睡眠が得られるものと考えられる。
【特許文献１】特開２０００−８３７６６号公報
【発明の開示】
【発明が解決しようとする課題】
【０００３】
また、産業界では、リラクゼーション効果等を発揮できる有用振動をベッド上において使用者に与えることができるベッドの開発が要望されている。本発明は上記した実情に鑑みてなされたものであり、誘眠効果やマッサージ効果といったリラクゼーション効果等を発揮できる有用振動をベッド上の使用者の身体に効果的に与えることができるベッドを提供することにある。
【課題を解決するための手段】
【０００４】
本発明に係るベッドは、使用者が横たわる寝具類を載置できるベッド本体と、ベッド本体の幅方向の少なくとも一方側に設けられたサイド側部材とをもつベッドにおいて、ベッド本体上の使用者の身体に間接的に有用振動を与える第１振動部がサイド側部材に設けられており、サイド側部材は、サイド側部材に沿ってベッド本体の長さ方向（Ｘ方向）に延びるＸガイド部と、ベッド本体の高さ方向（Ｙ方向）に延びるＹガイド部と、ベッド本体の幅方向（Ｚ方向）に延びるＺガイド部と、Ｘガイド部、Ｙガイド部およびＺガイド部によって位置調整可能なスライダとを備えており、第１振動部はスライダに設けられ、ベッド本体の長さ方向（Ｘ方向）、高さ方向（Ｙ方向）、幅方向（Ｚ方向）に３次元的に位置調整可能とされていることを特徴とするものである。本発明に係るベッドによれば、ベッド本体上の使用者の身体に、間接的に第１振動部が誘眠効果やマッサージ効果等のリラクゼーション効果を発揮できる有用振動を与えることができる。更に第１振動部はサイド側部材側に設けられている。サイド側部材は、サイド側部材に沿ってベッド本体の長さ方向（Ｘ方向）に延びるＸガイド部と、ベッド本体の高さ方向（Ｙ方向）に延びるＹガイド部と、ベッド本体の幅方向（Ｚ方向）に延びるＺガイド部と、Ｘガイド部、Ｙガイド部およびＺガイド部によって位置調整可能なスライダとを備える。第１振動部はスライダに設けられており、ベッド本体の長さ方向（Ｘ方向）、高さ方向（Ｙ方向）、幅方向（Ｚ方向）に３次元的に位置調整可能とされている。このため第１振動部をベッド本体上の使用者の身長方向等において３次元的に位置調整できる。故に、第１振動部による誘眠振動やマッサージ振動等の有用振動をベッド本体上の使用者の身体に与える位置を、使用者の好みに応じて３次元的に適宜調整できる。
【発明の効果】
【０００５】
本発明に係るベッドによれば、ベッド本体上の使用者の身体に間接的に第１振動部がリラクゼーション効果（誘眠効果やマッサージ効果等を含む）等を発揮できる有用振動を与えることができる。更に第１振動部はサイド側部材側に設けられており、ベッド本体の長さ方向（Ｘ方向）、ベッド本体の高さ方向（Ｙ方向）およびベッド本体の幅方向（Ｚ方向）において３次元的に位置調整可能とされて、ベッド上の使用者の身長方向等に沿って位置調整可能とされている。このため、第１振動部によりリラクゼーション効果（誘眠効果やマッサージ効果等を含む）等を発揮できる有用振動をベッド本体上の使用者の身体に与える位置を、使用者の好みに応じて調整できる。従って使用者の足を中心としてリラクゼーション効果を与えたり、使用者の腰を中心としてリラクゼーション効果等を与えたり、使用者の肩を中心としてリラクゼーション効果等を与えたり選択できる。
【０００６】
本発明に係るベッドによれば、第１振動部がサイド側部材側に設けられているため、振動部がマットレス等の寝具類に内蔵されている形態に比較して、使用者が振動部を踏んで損傷させるといった不具合を解消することができ、第１振動部の保護性及び耐久性が向上する。
【発明を実施するための最良の形態】
【０００７】
本発明に係るベッドによれば、ベッド本体上の使用者の身体に間接的に有用振動を与える第１振動部がサイド側部材側に設けられている。更に、ベッド本体上の使用者の身体に直接的にまたは間接的に有用振動を与える第２振動部がフット側部材に設けられていることが好ましい。このように第１振動部がサイド側部材側に設けられ、第２振動部がフット側部材に設けられていると、振動部がマットレス等の寝具類に内蔵されている形態に比較して、使用者が振動部を踏んで損傷させるといった不具合を解消することができ、第１振動部、第２振動部の保護性及び耐久性が向上する。サイド側部材はベッド本体の幅方向の端側に設けられている部材である。サイド側部材はベッド本体の幅方向の端側に設けられているサイドフレームとすることができる。サイドフレームはサイドボードとすることができるが、必ずしもボード状に限定されず、パイプや棒材等をフレーム状に組み付けたものでも良い。ヘッド側部材はベッド本体のうちベッド本体に横たわる使用者の頭側に設けられている部材である。フット側部材は一般的にはベッド本体に載せられている寝具類のうち使用者の足側のずれを抑制する機能を奏するフットフレームで形成できる。ヘッド側部材は一般的にはベッド本体に載せられている寝具類のうち使用者の頭側のずれを抑制する機能を奏するヘッドフレームで形成できる。フットフレームとしては、ベッド本体に取り付けられたフットボードとすることができるが、必ずしもボード状に限定されず、パイプや棒材等をフレーム状に組み付けたものでも良い。フットフレームは、ベッド本体に一体的に取り付けられていても良いし、あるいは、分離可能に設けられていても良い。ヘッドフレームとしては、ベッド本体に取り付けられたヘッドボードとすることができるが、必ずしもボード状に限定されず、パイプや棒材等をフレーム状に組み付けたものでも良い。フットフレーム、ヘッドフレームは、ベッド本体に一体的に取り付けられていても良いし、あるいは、分離可能に設けられていても良い。第１振動部は、誘眠振動やマッサージ振動等の有用振動をベッド本体上の使用者の身体に寝具類等を介して間接的に与える。寝具類は、使用者の身体を載せるマットレス、または、ベッド本体上の使用者の足を載せる足枕を例示でき、場合によってはベッド本体上の使用者の頭を載せる頭枕を例示できる。
【０００８】
第１振動部はベッド本体の幅方向に位置調整可能とされている。第１振動部がベッド本体の幅方向に位置調整可能であれば、マットレス等の寝具類の幅寸法の変動に対処するのに有利となる。また、第１振動部をベッド本体の幅方向に位置調整することにより、第１振動部とマットレスとの圧接度を調整して第１振動部からマットレスへの振動伝搬率を調整することができる。第１振動部とマットレスとの圧接度を相対的に高める強モードと、第１振動部とマットレスとの圧接度を強モードのときよりも相対的に低める弱モードとが設けられている形態を例示できる。そして、第１振動部をベッド本体の幅方向において位置調整することにより、強モード及び弱モードを切替可能とすることができる。
【０００９】
フット側部材に設けられている第２振動部は、ベッド本体の長さ方向に位置調整可能とされている形態を例示できる。第２振動部がベッド本体の長さ方向に位置調整可能であれば、マットレス等の寝具類の長さ寸法の変動に対処するのに有利となる。また、第２振動部をベッド本体の長さ方向に位置調整することにより、第２振動部とマットレスとの圧接度を調整して第２振動部からマットレスへの振動伝搬率を調整することができる。第２振動部とマットレスとの圧接度を相対的に高める強モードと、第２振動部とマットレスとの圧接度を強モードのときよりも相対的に低める弱モードとが設けられている形態を例示できる。そして、第２振動部をベッド本体の長さ方向において位置調整することにより、強モード及び弱モードを切替可能とすることができる。
【００１０】
第２振動部はベッド本体の高さ方向に位置調整可能とされている形態を例示できる。この場合、マットレス等の寝具類の高さ寸法の変動に対処するのに有利となり、ベッド上の使用者への振動伝播性も複数の形態に変化させるのに有利となる。なお、第１振動部、第２振動部の振動方向は、ベッド本体の高さ方向であっても良いし、ベッド本体の長さ方向（ベッドに寝る使用者の身長方向）であっても良いし、ベッド本体の幅方向（ベッドに寝る使用者の幅方向）であっても良い。第１振動部はサイド側部材よりもベッド上の使用者側に向けて突出可能であること形態を採用できる。
【００１１】
ベッド本体の使用者の足を載せる足枕を設けることにしても良い。足枕は、足裏面に対向する足裏対向面を有することにしても良い。足裏面にはいわゆるツボが集中しており、刺激に敏感であるため、誘眠作用、マッサージ効果を高めるのに有利である。足裏対向面は、立直面状としても良いし、あるいは、ベッド本体上に横たわる使用者の足の足裏面と近似した凹凸形状とすることもできる。好ましくは、足枕は、ベッド本体上に横たわる使用者の足の足裏面に対向する足裏対向面の他に、ベッド本体上に横たわる使用者の足のふくらはぎに対向する足側対向面を有しており、足枕の足裏対向面および足側対向面に有用振動を伝播させる形態を採用することができる。
【００１２】
好ましくは、ベッド本体上の使用者の身体を直接または間接的に暖める加熱部が設けられている形態を採用することができる。加熱部としては、使用者の腕、使用の腰、使用者の足（殊に足裏面、ふくらはぎ、足首等）のうちの少なくとも一つを加熱することができる。加熱部が設けられていれば、ベッド上の使用者の身体を暖めることができ、適度な有用振動と暖めとを併用した複合作用により誘眠効果、マッサージ効果を更に向上させることができる。特に、冷え症に悩む使用者（女性、高齢者等）に適する。加熱部は、ベッド上の寝具類、ベッド本体、フット側部材のうちの少なくとも一つに設けることができ、足枕、マットレスが設けられているときには、足枕、マットレスに加熱部を設けることができる。加熱部は電気で加熱される電気ヒータ式が好ましいが、蓄熱機能または発熱機能を有する他の方式でも良い。
【実施例】
【００１３】
以下、本発明の各実施例について図面を参照して説明する。図面は概念図であり、細部まで規定するものではない。
【００１４】
（実施例１）
図１〜図８は実施例１を示す。ベッドは、使用者が横たわるマットレス１６（寝具類、振動伝達媒体）を載置できる載置面１０をもつベッド本体１と、ベッド本体１の載置面１０上に載置されたマットレス１６に横たわる使用者の足側に位置するようにベッド本体１に設けられたフットフレームとしてのフットボード１１と、ベッド本体１の載置面１０上のマットレス１６に横たわる使用者の頭側に位置するようにベッド本体１に設けられたヘッドフレームとしてのヘッドボード１２と、ベッド本体の幅方向の両方の端側に設けられたサイド側部材であるサイドフレームとして機能するサイドボード１３をもつ。マットレス１６は、身体に負担がかからない材料を基材として形成されている。このように基材としては、ウレタン樹脂、綿、羽毛、ビーズ、ゲル材料などのうちの少なくとも１種が例示される。マットレス１６はコイルバネ等のバネを内蔵していても良い。コイルバネの軸芯はマットレス１６の厚み方向に延設されていることができる。フットボード１１は、ヘッドボード１２に対向する第１表面１１ｆと、ヘッドボード１２に背向する第２表面１１ｓとをもつ。
【００１５】
前記したようにベッド本体１はサイドボード１３をもつ。第１振動部を構成する振動ユニット３Ｓはベッド本体１のサイドボード１３に搭載されており、ベッド本体１の長さ方向（矢印Ｘ１、Ｘ２方向、使用者の身長方向）に沿って、フットボード１１とヘッドボード１２との間においてほぼ全長にわたり位置調整可能とされている。振動ユニット３Ｓの有用振動は主としてマットレス１６の幅方向の端部１６ｆを介して使用者の身体に伝播される。第２振動部を構成する振動ユニット３Ｎはベッド本体１のフットボード１１に搭載されており、ベッド本体１の幅方向（矢印Ｚ１、Ｚ２方向、使用者の幅方向）に沿って位置調整可能とされている。なお振動ユニット３Ｓ、３Ｎから、コイル状にカールされた伸縮可能な給電線３ｗが導出されている。
【００１６】
図８に示すように、振動部を構成する第１振動ユニット３Ｓ、第２振動ユニット３Ｎは、ベッド本体１上に横たわる使用者に有用振動を与えるように矢印Ｗ方向に沿って複数個並設された振動源３０と、複数個の振動源３０をまとめて保持する振動伝播性を有する装填材料で形成された保持部３１と、保持部３１を保持するベース３２とを有する。保持部３１を構成する装填材料としては特に限定されず、樹脂系、ゴム系、発泡材料系、繊維集合体、金属系等を基材として採用することができる。隣設する振動源３０間には装填材料が介在しているため、隣設する振動源３０による振動干渉等を抑制するのに有利となる。振動源３０は振動機能を有するものである。振動源３０は軸芯Ｋをもち、振動方向はＫ１、Ｋ２方向である。振動源３０の振動原理としては、磁気で振動子を振動させる方式、圧電作用で振動子を振動させる方式、磁歪作用で振動子を振動させる方式、モータ駆動により振動子を振動させる方式、超音波振動させる方式等のように公知の振動方式を採用することができる。振動源３０の軸芯Ｋ方向（振動方向）はベッド本体１の長さ方向（使用者の身長方向）であるが、これらに限定されるものではなく、振動源３０の軸芯Ｋ方向（振動方向）はベッド本体１の高さ方向であっても良い。
【００１７】
図１、図２に示すように、サイドボード１３に搭載されている第１振動ユニット３Ｓの振動源３０の振動方向（矢印Ｋ１、Ｋ２方向）は、ベッド本体１の高さ方向、マットレス１６の厚み方向とされている。フットボード１１に搭載されている第２振動ユニット３Ｎの振動源３０の振動方向（矢印Ｋ１、Ｋ２方向）は、ベッド本体１の長さ方向、マットレス１６の長さ方向とされている。
【００１８】
本実施例によれば、振動を開始する振動開始部と、振動を停止する振動停止部とが設けられていることが好ましい。振動開始部として、使用者がベッド本体１に横たわった信号を出力する横たわりセンサを設けることができる。入力振動停止部として、使使用者が睡眠に入ったことを推定または検知する睡眠センサを設けることができる。振動開始部からの指令により振動源３０が振動を開始し、睡眠センサの信号により振動源３０の振動を停止する方式を例示することができる。使用者の横たわりを検知する横たわりセンサとしては、例えば、使用者の体重を検知するためにマットレス１６に内蔵された加圧センサで形成することができる。あるいは、横たわりセンサとしては、使用者の意思に基づいて使用者の指先等で操作されるスイッチで形成することができる。また睡眠センサとしては、振動源３０による誘眠振動が開始されてから所定時間経過したら、使用者が睡眠に誘導されたと推定するタイマー機能をもつものとすることができる。また睡眠センサとしては、ベッド上に横たわっている使用者の呼吸及びまたは心臓の鼓動に基づく物理量の変化（例えば胸または腹の変位量、胸または腹の変位周期、鼓動の変位量、鼓動の周期）を検知するセンサを例示することができる。あるいは、睡眠センサとしては、使用者の脳波を検知するセンサ、使用者のいびき音等を検知するいびき音センサを例示することができる。
【００１９】
使用時には、ベッド本体１の載置面１０上に載置されているマットレス１６に、使用者が横たわる。第１振動ユニット３Ｓの有用振動は主としてマットレス１６の幅方向の端部１６ｆを介して使用者の身体に伝播される。第２振動ユニット３Ｎの有用振動は主としてマットレス１６の長さ向の端部１６ｅを介して使用者の身体に伝播される。振動ユニット３Ｓ、３Ｎはマットレス１６に対面するように設けられているため、使用者の身体への振動伝播は効果的である。これによりマッサージ振動、誘眠振動等に代表されるリラクゼーション効果等の有用効果を発揮することができる有用振動をベッド本体１上の使用者に与えることができる。この場合、有用振動がマットレス１６により適度に減衰され、振動源３０の振動が間接的に使用者の身体に伝播されることになり、快適性を向上させることができる。
【００２０】
図３及び図４は第１振動ユニット３Ｓを可動させる可動機構３００の概念を示す。図３、図４に示すように、可動機構３００は、ベッド本体１の長さ方向（矢印Ｘ１、Ｘ２方向）に沿ってサイドボード１３に延設されたＸガイド部３０１と、Ｘガイド部３０１に沿って幅方向（矢印Ｘ１、Ｘ２方向）に沿って移動可能なスライダ３０３と、スライダ３０３に設けられ且つベッド本体１の高さ方向（矢印Ｙ１、Ｙ２方向）に沿って延設されたＹガイド部３０５と、Ｙガイド部３０５に沿ってベッド本体１の高さ方向（矢印Ｙ１、Ｙ２方向）に沿って移動可能なスライダ３０６と、スライダ３０６に設けられ且つベッド本体１の幅方向（矢印Ｚ１、Ｚ２方向）に沿って延設されたＺガイド部３０７とをもつ。Ｚガイド部３０７にそって第１振動ユニット３Ｓは矢印Ｚ１，Ｚ２方向に移動可能とされている。このような可動機構３００により振動ユニット３Ｓは、ベッド本体１の幅方向（矢印Ｚ１、Ｚ２方向）、ベッド本体１の高さ方向（矢印Ｙ１、Ｙ２方向）、ベッド本体１の長さ方向（矢印Ｘ１、Ｘ２方向）に沿って３次元的に移動可能とされている。この結果、使用者の好みに応じて、振動ユニット３Ｓの位置を３次元的に調整することができる。この場合、マットレス１６等の寝具類の高さ寸法、幅寸法等の変動に対処するのに有利となり、マットレス１６の厚み、幅を好みに応じて選択することができる。なお可動機構３００はかかる構造に限定されるものではない。振動ユニット３Ｓ、３Ｎを移動させるためには、振動ユニット３Ｓ、３Ｎとマットレス１６とが接触している状態から、振動ユニット３Ｓ、３Ｎをマットレス１６から退避させることにより、振動ユニット３Ｓ、３Ｎとマットレス１６とを非接触にした状態で、振動ユニット３Ｓ、３Ｎを移動させ、振動ユニット３Ｓ、３Ｎが目標位置にきたら、振動ユニット３Ｓ、３Ｎとマットレス１６とを接触させることが好ましい。この場合、振動ユニット３Ｓ、３Ｎとマットレス１６の摩耗等を低減させることができる。
【００２１】
図５及び図６は第２振動ユニット３Ｎを可動させる可動機構４００の概念を示す。図５、図６に示すように、可動機構４００は、ベッド本体１の幅方向（矢印Ｚ１、Ｚ２方向）に沿ってフットボード１１に延設されたＺガイド部４０１と、Ｚガイド部４０１に沿って幅方向（矢印Ｚ１、Ｚ２方向）に沿って移動可能なスライダ４０３と、スライダ４０３に設けられ且つベッド本体１の高さ方向（矢印Ｙ１、Ｙ２方向）に沿って延設されたＹガイド部４０５と、Ｙガイド部４０５に沿ってベッド本体１の高さ方向（矢印Ｙ１、Ｙ２方向）に沿って移動可能なスライダ４０６と、スライダ４０６に設けられ且つベッド本体１の長さ方向（矢印Ｘ１、Ｘ２方向）に沿って延設されたＸガイド部４０７とをもつ。この第２振動ユニット３ＮはＸガイド部４０７に沿って矢印Ｘ１，Ｘ２方向に移動可能とされている。このような可動機構４００によりベッド本体１の幅方向（矢印Ｚ１、Ｚ２方向）、ベッド本体１の高さ方向（矢印Ｙ１、Ｙ２方向）、ベッド本体１の長さ方向（矢印Ｘ１、Ｘ２方向）に沿って３次元的に移動可能とされている。この結果、使用者の好みに応じて、第２振動ユニット３Ｎの位置を３次元的に調整することができる。この場合、マットレス１６等の寝具類の長さ寸法、高さ寸法の変動に対処するのに有利となり、マットレス１６の長さ、厚みを好みに応じて選択することができる。
【００２２】
以上説明したように本実施例によれば、サイドボード１３に搭載されている第１振動ユニット３Ｓはベッド本体１の長さ方向（矢印Ｘ１、Ｘ２方向）に沿って位置調整可能とされている。このため使用者の好みに応じて、ベッド本体１のサイドボード１３に沿って使用者の身長方向（矢印Ｘ１、Ｘ２方向）に沿って移動させれば、使用者の身体に有用振動を与える部位をベッド本体１の長さ方向に沿って位置調整できる。即ち、図１に示すように、第１振動ユニット３Ｓを位置Ｓ１に設定し、ベッド上に寝ている使用者の足を中心としてリラクゼーション効果を与えたりできる。また第１振動ユニット３Ｓを位置Ｓ２に設定し、使用者の腰を中心としてリラクゼーション効果を与えたりできる。また第１振動ユニット３Ｓを位置Ｓ３に設定し、使用者の肩を中心としてリラクゼーション効果を与えたり選択できる。
【００２３】
更に、第１振動ユニット３Ｓはベッド本体１の幅方向に沿って矢印Ｚ１、Ｚ２方向にも位置調整可能とされている。ここで、矢印Ｚ１方向はベッド本体１の幅方向においてベッド中央線ＰＡに向かう方向を意味する。矢印Ｚ２方向はベッド本体１の幅方向においてベッド中央線ＰＡから離れる方向を意味する。このため第１振動ユニット３Ｓとマットレス１６の幅方向の端部１６ｆとの間に隙間が生成されるときであっても、振動ユニット３Ｓをベッド本体１の幅方向に沿って矢印Ｚ１、Ｚ２方向に位置調整し、その隙間を低減または解消させる方向に第１振動ユニット３Ｓを位置調整できる。従って第１振動ユニット３Ｓによる誘眠振動やマッサージ振動等のリラクゼーション効果を発揮する有用振動をベッド本体１上の使用者の身体に効果的に与えることができる。更に、第１振動ユニット３Ｓはベッド本体１の幅方向（矢印Ｚ１、Ｚ２方向）に位置調整可能であるため、マットレス１６の幅寸法Ｂが変動しているときであっても、振動ユニット３Ｓをベッド本体１の幅方向（矢印Ｚ１、Ｚ２方向）に位置調整すれば、マットレス１６の幅方向の端部１６ｆにあてがうことができる。このため使用者が好みに応じたサイズのマットレス１６を利用することができる利点が得られる。
【００２４】
またフットボード１１に搭載されている第２振動ユニット３Ｎはベッド本体１の幅方向に沿って矢印Ｚ１、Ｚ２方向に位置調整可能とされている。このためベッドに寝る使用者の人数が変わる等したときであっても、第２振動ユニット３Ｎをベッド本体１の幅方向に沿って矢印Ｚ１、Ｚ２方向にも位置調整すれば、振動ユニット３Ｎを使用者の好みの位置に適応させることができる。更に第２振動ユニット３Ｎはベッド本体１の長さ向に沿って矢印Ｘ１、Ｘ２方向にも位置調整可能とされている。このためマットレス１６が変更される等して第２振動ユニット３Ｎとマットレス１６の長さ方向の端部１６ｅとの間に隙間Ｌが生成されるときであっても、振動ユニット３Ｎをベッド本体１の長さ方向に沿って矢印Ｘ１、Ｘ２方向に位置調整し、その隙間Ｌを低減または解消させる方向に振動ユニット３Ｎを位置調整できる。従って振動ユニット３Ｎによる誘眠振動やマッサージ振動等の有用振動をベッド本体１上の使用者の身体に効果的に与えることができる。なお、ベッドに予め据え付けられているものではなく、使用者の好みに応じた厚み、硬さ、形状、感触、意匠等をもつマットレス１９及び足枕４を用いるときに、隙間Ｌが生じ易い。ベッドに予め据え付けられているマットレス１９であっても、隙間Ｌが生じることがある。
【００２５】
また本実施例によれば、第１振動ユニット３Ｓをマットレス１６の幅方向（矢印Ｚ１、Ｚ２方向）に位置調整すれば、第１振動ユニット３Ｓとマットレス１６の端部１６ｆとの圧接度を調整でき、第１振動ユニット３Ｓとマットレス１６との間における振動伝播率を調整できる。故に、誘眠効果、マッサージ効果等の振動伝播率を調整できる。振動伝播率を高めたいときには、第１振動ユニット３Ｓとマットレス１６との圧接度を相対的に高める強モードとすれば良い。振動伝播率を低めにしたいときには、第１振動ユニット３Ｓとマットレス１６との圧接度を強モードのときよりも相対的に低めとする弱モードとすれば良い。振動伝播率を中間にしたいときには、第１振動ユニット３Ｓとマットレス１６との圧接度を強モードと弱モードとの中間とする中間モードとすれば良い。
【００２６】
同様に、第２振動ユニット３Ｎをマットレス１６の長さ方向（矢印Ｘ１、Ｘ２方向）に位置調整すれば、第２振動ユニット３Ｎとマットレス１６の端部１６ｅとの圧接度を調整でき、第２振動ユニット３Ｎとマットレス１６との間における振動伝播率を調整でき、誘眠効果、マッサージ効果等の振動効果を調整できる。振動伝搬率を高めたいときには、第２振動ユニット３Ｎとマットレス１６との圧接度を相対的に高める強モードとすれば良い。振動伝搬率を低めにしたいときには、第２振動ユニット３Ｎとマットレス１６との圧接度を強モードのときよりも相対的に低めとする弱モードとすれば良い。振動伝搬率を中間にしたいときには、第２振動ユニット３Ｎとマットレス１６との圧接度を強モードと弱モードとの中間とする中間モードとすれば良い。
【００２７】
また前記したように、振動ユニット３Ｓ、３Ｎはベッド本体１の高さ方向に位置調整可能とされているため、図７に示すように、マットレス１６の厚み方向の上部に振動を加えるモードＭ１、マットレス１６の厚み方向の中間部に振動を加えるモードＭ２、マットレス１６の厚み方向の下部に振動を加えるモードＭ３と変更することができる。モードＭ１、Ｍ２、Ｍ３では、マットレス１６の厚みの影響を受けるため、振動形態が異なったものとなりやすい。なお一般的には、マットレス１６の厚み方向の上部に振動を加えれば、振動伝播距離を増加させることができ、振動ユニット３Ｎが使用者の足側に位置しているとしても、使用者の足ばかりか、腰部、背中まで伝播させるのに有利となる。場合によっては肩付近まで伝播させるのに有利となる。
【００２８】
本実施例では電気ヒータ式の加熱部５が設けられている。従って、ベッド上に横たわっている使用者の足を加熱部５により暖めることができ、有用振動と暖めとを併用した複合効果により、使用者の快適性を高め、使用者を睡眠に誘導する誘眠効果またはマッサージ効果等のリラクゼーション効果を向上させることができる。特に、冷え症に悩む使用者（女性、高齢者等）の誘眠に適する。加熱部５は足枕４の下面に設けられているため、使用者の足の皮膚と加熱部５との直接的な接触を避けることができ、足に対する暖めが間接的になり、適度に暖めることができる。
【００２９】
図９は前記した振動源３０の一例を示す。図９に示すように、この振動源３０では、円筒形の外ケース３１６の内部に筒形のコイル３１２が同軸的に収納され、コイル３１２の内側に磁石で形成された振動子３１３、３１３が、スペーサ３１５を挟んで磁極の方向を相互に対向させて配置されている。振動子３１３、３１３の両端部にはバネ部材３１４、３１４が配置されている。これらの各部品が外ケース３１６内に収容されている。コイル３１２に所定の周波数の電気信号を入力すると、磁石で形成された振動子３１３、３１３が振動方向に交互に移動し、振動源３０の振動子３１３は振動作用を発揮する。振動方向は外ケース３１６の軸長方向である。入力電気信号の周波数、振幅等を変化させることで、振動源３０の振動の振動数、振幅等を制御できる。そして、図１０に示すように、複数の振動源３０は発泡ウレタン等の高分子材料で形成された保持部３１の格納空間３１ｍに並設状態に保持されている。その他に使用できる振動部を例示すると、リニアモータ型や偏心モータ型の振動部が挙げられる。両者ともに振動させたい周波数にてモータを駆動することで振動を発生する。
【００３０】
振動ユニット３Ｓ、３Ｎは前述したように位置調整可能とされている。更に位置調整した位置で固定手段により振動ユニット３Ｓ、３Ｎは固定可能とされている。固定手段としては周知の構造を採用することができる。固定手段としては、例えば、ボルトで振動ユニット３Ｓ、３Ｎをその位置に保持するねじ止め構造を採用できる。この場合、ボルトがねじ込み可能な雌ねじ孔を、振動ユニット３Ｓ、３Ｎの移動方向に沿って多数個列設した雌ねじ孔群をサイドボード１３、フットボード１１等に予め形成しておく。そして振動ユニット３の位置調整を行った後に、振動ユニット３Ｓ、３Ｎの図略の透孔を通したボルトを、雌ねじ孔群のうち所望の雌ねじ孔に着脱可能にねじ込んで固定する。これにより位置調整後の振動ユニット３Ｓ、３Ｎが移動しないようにサイドボード１３、フットボード１１等に固定する方式を採用することができる。
【００３１】
また前記した固定手段としては、振動ユニット３Ｓ、３Ｎの位置が不用意に変位しないように、ピンが差込可能なピン孔を、振動ユニット３Ｓ、３Ｎの移動方向に沿って多数個列設したピン孔群をサイドボード１３、フットボード１１等に予め形成しておく。そして振動ユニット３の位置調整を行った後に、振動ユニット３Ｓ、３Ｎの図略の透孔を通したピンを、ピン孔群のうち所望のピン孔に着脱可能に差込んで固定する。これにより位置調整後の振動ユニット３Ｓ、３Ｎが移動しないようにサイドボード１３、フットボード１１等に固定する方式を採用することができる。また前記した固定手段としては、振動ユニット３Ｓ、３Ｎに電磁石を取り付けておき、電磁石を消磁した状態で振動ユニット３の位置調整を行ない、振動ユニット３の位置調整後に、電磁石を励磁し、振動ユニット３Ｓ、３Ｎを、サイドボード１３、フットボード１１等の磁気吸着材料で形成された吸着部に着脱可能に吸着する方式を採用することができる。また前記した固定手段としては、逆に、サイドボード１３、フットボード１１等に電磁石を取り付けておき、電磁石を消磁した状態で振動ユニット３の位置調整を行ない、振動ユニット３の位置調整後に、電磁石を励磁する。これにより位置調整後の振動ユニット３Ｓ、３Ｎのうち磁気吸着材料で形成された吸着部をサイドボード１３、フットボード１１等に着脱可能に吸着する方式を採用することもできる。
【００３２】
（実施例２）
図１１及び図１２は実施例２の概念図を示す。本実施例は前記した実施例１と基本的には同様の構成及び作用効果を有する。以下、相違する部分を中心として説明する。図１１、図１２に示すように、サイド側部材としてのサイドボード１３に搭載されている第１振動ユニット３Ｓの振動源３０の振動方向（矢印Ｋ１、Ｋ２方向）は、ベッド本体１の幅方向、マットレス１６の幅方向とされている。フットボード１１に搭載されている第２振動ユニット３Ｎの振動源３０の振動方向（矢印Ｋ１、Ｋ２方向）は、ベッド本体１の高さ方向、マットレス１６の厚み方向とされている。本実施例においても、第１振動ユニット３Ｓ、第２振動ユニット３Ｎは、ベッド本体１の幅方向（矢印Ｚ１、Ｚ２方向）、ベッド本体１の高さ方向（矢印Ｙ１、Ｙ２方向）、ベッド本体１の長さ方向（矢印Ｘ１、Ｘ２方向）に沿って３次元的に移動可能とされている。
【００３３】
（実施例３）
図１３及び図１４は実施例３の概念図を示す。本実施例は実施例１と基本的には同様の構成及び作用効果を有する。以下、相違する部分を中心として説明する。図１３、図１４に示すように、フットボード１１には、マットレス１６に対面する振動ユニット３Ｎの他に、使用者足を載せる足枕７に対面する振動ユニット３Ｐが搭載されている。フットボード１１は可動式とされており、ベッド本体１の長さ方向（ベッドに寝ている使用者の身長方向）に沿って、つまり、使用者に近づく方向（矢印Ｘ１方向）または使用から離れる方向（矢印Ｘ２方向）に移動可能とされている。これによりフットボード１１に搭載されている振動ユニット３Ｎ、３Ｐはベッド本体１の長さ方向（矢印Ｘ１、Ｘ２方向）において位置調整可能とされている。ベッド本体１には、ベッド本体１の長さ方向に延びる凹または凸からなる被ガイド部１ｒが設けられている。フットボード１１には、凸または凹からなるＸ１、Ｘ２方向にのびるガイド部１１ｒが設けられている。被ガイド部１ｒ及びガイド部１１ｒのスライド嵌合により、フットボード１１は、ひいてはフットボード１１に搭載されている振動ユニット３Ｐ、３Ｎは、ベッド本体１の長さ方向（ベッドに寝ている使用者の身長方向）に沿って移動可能とされている。このためマットレス１６や足枕４のサイズ等の事情により、振動ユニット３Ｐと足枕４との間、振動ユニット３Ｎとマットレス１６との間に隙間Ｌが生成されるときであっても、図１３に示すように、その隙間Ｌを低減または解消させる方向にフットボード１１を矢印Ｘ１方向に移動させれば、振動ユニット３Ｎをマットレス１６の長さ方向の端部１６ｅにあてがうと共に、振動ユニット３Ｐを足枕４にあてがうことができる。従って振動ユニット３Ｎ、３Ｐによる誘眠効果やマッサージ効果等のリラクゼーション効果をベッド本体１上の使用者の身体に与えることができる。更に振動ユニット３Ｎとマットレス１６との圧接度、振動ユニット３Ｐと足枕４との圧接度を調整でき、振動伝播率を調整できる。本発明に係るベッドによれば、振動部を構成する振動ユニットはサイドボードの他にヘッドボード１２に搭載させても良い。また、１個の振動ユニットのうち振動源３０の数は１個でも複数でも良い。その他、本発明は上記し且つ図面に示した実施例のみに限定されるものではなく、要旨を逸脱しない範囲内で適宜変更して実施できる。
【産業上の利用可能性】
【００３４】
本発明は使用者の身体を休めるベッドに利用することができる。
【図面の簡単な説明】
【００３５】
【図１】振動ユニットをベッド本体のサイドボード及びフットボードに取り付けたベッドの平面図である。
【図２】振動ユニットをベッド本体のサイドボード及びフットボードに取り付けたベッドの正面図である。
【図３】サイドボードに搭載されている振動ユニットの可動機構を示す構成図である。
【図４】サイドボードに搭載されている振動ユニットの可動機構を示す異なる方向の構成図である。
【図５】フットボードに搭載されている振動ユニットの可動機構を示す構成図である。
【図６】フットボードに搭載されている振動ユニットの可動機構を示す異なる方向の構成図である。
【図７】振動ユニットの振動を高さを変えてマットレスに加える形態を示す構成図である。
【図８】振動ユニットの内部を示す断面図である。
【図９】振動部の一例を示す断面図である。
【図１０】振動ユニットの保持部が複数個の振動源を保持する状態を示す斜視図である。
【図１１】実施例２に係り、振動ユニットをベッド本体のサイドボード及びフットボードに取り付けたベッドの平面図である。
【図１２】実施例２に係り、振動ユニットをベッド本体のサイドボードおよびフットボードに取り付けたベッドの正面図である。
【図１３】実施例３に係り、別の振動ユニットを搭載する可動式のフットボードを移動させる前のベッドの正面図である。
【図１４】実施例３に係り、別の振動ユニットを搭載する可動式のフットボードを移動させた後の状態を示す正面図である。
【符号の説明】
【００３６】
図中、１はベッド本体、１１はフットボード（フット側部材）、１３はサイドボード（サイド側部材）、１６はマットレス、３Ｓ、３Ｎは振動ユニット（振動部）、３０は振動源、３１は保持部、５は加熱部を示す。